(57)【要約】【課題】冷却効率が高いオープンショーケースを提供する。【解決手段】少なくとも前面が開放された外ケース２２と内ケース２３との間に蒸発器４１と送風機４２とを収容してなる冷気循環通路７と、内ケース２３に陳列棚２５Ａ，２５Ｂ，２５Ｃを配設してなる保冷室２と、を備え、冷気循環通路７の上部の吹出口７４から吹き出され下部の吸込口７５に吸い込まれる冷気により、保冷室２の前面側にエアカーテンを形成し、該保冷室２内を保冷するようにしたオープンショーケース１であって、吸込口７５の前方に亘って立設する板状部材４を備え、吹出口７４の吹出方向は、陳列棚２５Ａ，２５Ｂ，２５Ｃの前端よりも前方、かつ板状部材４に向かっている。【選択図】図２
2018117979.tif 000002
【特許請求の範囲】
【請求項１】
少なくとも前面が開放された外ケースと内ケースとの間に蒸発器と送風機とを収容してなる冷気循環通路と、前記内ケースに陳列棚を配設してなる保冷室と、を備え、前記冷気循環通路の上部の吹出口から吹き出され下部の吸込口に吸い込まれる冷気により、前記保冷室の前面側にエアカーテンを形成し、該保冷室内を保冷するようにしたオープンショーケースであって、
前記吸込口の前方に亘って立設する板状部材を備え、
前記吹出口の吹出方向は、前記陳列棚の前端よりも前方、かつ前記板状部材に向かっていることを特徴とするオープンショーケース。
【請求項２】
前記吹出口は、前端が前記陳列棚の前端よりも前方側を向く内板と、前端が前記板状部材の上端よりも下方側に向く外板と、を備えることを特徴とする請求項１に記載のオープンショーケース。
【請求項３】
前記冷気循環通路は、前記吹出口の上流側に接続され略水平方向に延びる上部側通路を備え、
前記吹出口は、前記上部側通路よりも通路幅が小さいことを特徴とする請求項１または２に記載のオープンショーケース。
【請求項４】
前記上部側通路内には、整風部材が設けられていることを特徴とする請求項３に記載のオープンショーケース。
【請求項５】
前記冷気循環通路は、前記上部側通路の上流側に接続され上下方向に延びる背面側通路を備え、
前記上部側通路は、前記背面側通路よりも通路幅が小さいことを特徴とする請求項３または４に記載のオープンショーケース。
【請求項６】
前記保冷室の側方には、その前縁が前記吹出口から前記板状部材の上端まで延びる側板が設けられていることを特徴とする請求項１ないし５のいずれかに記載のオープンショーケース。
【発明の詳細な説明】
【技術分野】
【０００１】
本発明は、スーパーマーケット、コンビニエンスストア、デパート等の食品売場等に設置され、日配食品、生鮮食料品等の商品を陳列するために用いられるオープンショーケースに関する。
【背景技術】
【０００２】
オープンショーケースは、前面に開口部を有する断面視略コ字状の外ケースと、該外ケースの内側に設けられる内ケースと、を備え、内ケースの内方には上下複数段の陳列棚が設けられる保冷室が形成されるとともに、内ケースと外ケースの間には冷気循環通路が形成されており、この冷気循環通路内には冷凍サイクルを行う冷却ユニットを構成する蒸発器及び送風機が配設されている。また、外ケースの上部を構成し背面側から前方に向けて延びる天板の前端下縁において内ケースの上部前端との間に冷気循環通路の吹出口が形成され、外ケースの下部を構成し背面側から前方に向けて延びる底板の前端上縁において内ケースの下部前端との間に冷気循環通路の吸込口が形成されている（特許文献１参照）。
【０００３】
このようなオープンショーケースにおいては、送風機を作動させることで蒸発器により冷却された冷気循環通路内の空気（冷気）は、外ケースの上部に形成される吹出口から吹き出された後、外ケースの下部に形成される吸込口に吸い込まれる。このように、冷気循環通路において冷気は循環されるとともに、この循環する冷気によって保冷室の前面側にエアカーテンが形成されることにより、保冷室内に陳列される商品を保冷できるようになっている。
【先行技術文献】
【特許文献】
【０００４】
【特許文献１】特開平１１−２５７８３０号公報（第４頁、第２図）
【発明の概要】
【発明が解決しようとする課題】
【０００５】
しかしながら、特許文献１にあっては、外ケースの天板は、保冷室に設けられる最上段の陳列棚よりも前後方向に短尺に構成され、天板の前端下縁に形成される冷気循環通路の吹出口の吹出方向は、最上段の陳列棚の前端寄りの上面を向いている。吹出口から吹き出された冷気は、最上段の陳列棚の前端寄りの上面に当たった後、最上段の陳列棚の前端から下方に向かい、外ケースの下部に形成される吸込口に吸い込まれるため、吹出口から吸込口に向かう間に拡散しやすく、保冷室の前面側に形成されるエアカーテンが不安定になるとともに、保冷室の前面側の開口から外部に冷気が漏れ出して吸込口における冷気の吸い込み量が減少することで、オープンショーケースの冷却効率が低下するという問題があった。
【０００６】
本発明は、このような問題点に着目してなされたもので、冷却効率が高いオープンショーケースを提供することを目的とする。
【課題を解決するための手段】
【０００７】
前記課題を解決するために、本発明のオープンショーケースは、
少なくとも前面が開放された外ケースと内ケースとの間に蒸発器と送風機とを収容してなる冷気循環通路と、前記内ケースに陳列棚を配設してなる保冷室と、を備え、前記冷気循環通路の上部の吹出口から吹き出され下部の吸込口に吸い込まれる冷気により、前記保冷室の前面側にエアカーテンを形成し、該保冷室内を保冷するようにしたオープンショーケースであって、
前記吸込口の前方に亘って立設する板状部材を備え、
前記吹出口の吹出方向は、前記陳列棚の前端よりも前方、かつ前記板状部材に向かっていることを特徴としている。
この特徴によれば、吹出口から吹き出された冷気は、陳列棚に当たることが少なくなり、吹出方向に向けて流速が略維持された状態で吸込口の前方に亘って立設する板状部材で受け止められるため、保冷室の前面側の開放部分から外部への冷気の漏れ出しを防ぎながら下方の吸込口に冷気を案内することができる。そのため、保冷室の前面側にエアカーテンを安定して形成し、かつ吸込口における冷気の吸い込み量を確保して冷却効率を高めることができる。
【０００８】
前記吹出口は、前端が前記陳列棚の前端よりも前方側を向く内板と、前端が前記板状部材の上端よりも下方側に向く外板と、を備えることを特徴としている。
この特徴によれば、冷気が吹出口を構成する内板と外板の間から吹き出されることにより、内板により冷気が陳列棚に当たらないように陳列棚の前端の前方に案内され、かつ外板により保冷室の前面側の開放部分から外部へ冷気が漏れ出さないように板状部材の上端よりも下方側に案内されるため、保冷室の前面側にエアカーテンを安定して形成することができる。
【０００９】
前記冷気循環通路は、前記吹出口の上流側に接続され略水平方向に延びる上部側通路を備え、
前記吹出口は、前記上部側通路よりも通路幅が小さいことを特徴としている。
この特徴によれば、冷気が上部側通路よりも通路幅の小さい吹出口に流入して吹き出されることにより、吹出口から吹き出される冷気の流速を上げることができるため、吹き出された冷気の大部分は陳列棚に当たることなく吸入口に吸い込まれ、保冷室の前面側にエアカーテンをより安定して形成することができる。
【００１０】
前記上部側通路内には、整風部材が設けられていることを特徴としている。
この特徴によれば、冷気循環通路における上部側通路に設けられる整風部材に対して冷気を通過させることにより、整風部材の下流側において冷気を略均一に広げることができるため、吹出口に亘って冷気を略均一に吹き出させ保冷室の前面側に亘ってエアカーテンを略均一に形成することができる。
【００１１】
前記冷気循環通路は、前記上部側通路の上流側に接続され上下方向に延びる背面側通路を備え、
前記上部側通路は、前記背面側通路よりも通路幅が小さいことを特徴としている。
この特徴によれば、冷気が直前の背面側通路よりも通路幅の小さい上部側通路に流入することにより、上部側通路に設けられる整風部材を通過する際の冷気の流速を上げて通過時の抵抗を大きくすることができるため、整風部材の下流側において冷気を略均一に広げやすい。
【００１２】
前記保冷室の側方には、その前縁が前記吹出口から前記板状部材の上端まで延びる側板が設けられていることを特徴としている。
この特徴によれば、吹出口から吹き出された冷気を前方の板状部材と側方の側板により規定される保冷室内の空間に収めることができるため、保冷室の側方から外部への冷気の漏れ出しを抑えることができ、冷却効率を高めることができる。
【図面の簡単な説明】
【００１３】
【図１】実施例におけるオープンショーケースを示す斜視図である。
【図２】オープンショーケースの構造及び冷気循環通路における冷気の流れを示す側面視の断面図である。
【図３】オープンショーケースの構造及び寸法関係を示す側面視の断面図と、吹出口近傍の拡大図である。
【図４】（ａ）は、上流側整風部材の構造を示す側面図であり、（ｂ）は、同じく上流側整風部材の構造を示す上面図である。
【図５】（ａ）は、下流側整風部材の構造を示す側面図であり、（ｂ）は、同じく下流側整風部材の構造を示す正面図である。
【発明を実施するための形態】
【００１４】
本発明に係るオープンショーケースを実施するための形態を実施例に基づいて以下に説明する。
【実施例】
【００１５】
実施例に係るオープンショーケースにつき、図１から図５を参照して説明する。以下、図２の紙面左側をオープンショーケースの正面側（前方側）とし、その前方側から見たときの上下左右方向を基準として説明する。
【００１６】
本実施例のオープンショーケース１は、スーパーマーケット、コンビニエンスストア等において食品等の商品を保冷した状態で陳列するために設置される。図１に示されるように、オープンショーケース１は、上方に設けられ商品（図示略）が冷却・収納されるケース本体２１と、該ケース本体２１の下方に設けられる基台３と、から主に構成され、後述する冷気循環通路７に収容される蒸発器４１及び送風機４２（図２参照）とオープンショーケース１の外部に別途設けられる図示しない冷凍機ユニット（圧縮機、凝縮器、送風機等）とを冷媒配管により接続して構成される冷凍サイクルが行われることにより、ケース本体２１内に画成される保冷室２内を冷却可能な別置型のショーケースである。
【００１７】
図２に示されるように、オープンショーケース１は、前面側が開放された略コ字形を成す断熱構造の外ケース２２と、その内方において同じく前面側が開放された略コ字形の内ケース２３と、から構成されるケース本体２１を備え、内ケース２３の内方の空間に保冷室２が形成されている。尚、ケース本体２１は、下部２１ｂが上部２１ａよりも前方に延びた構造となっている。
【００１８】
保冷室２は、内ケース２３の背板２３ａ、ケース本体２１の上部２１ａ（内ケース２３の天板２３ｃ）、ケース本体２１の下部２１ｂ（内ケースの底部２３ｂ）、側壁５，５（パネル体５０，５０）及び板状部材４から画成され、前面側が開放している。尚、保冷室２の前面側の開放部分は、キャノピ６の前端、側壁５，５（パネル体５０，５０）の前端及び板状部材４の上端により形成されている。
【００１９】
詳しくは、図１及び図２に示されるように、ケース本体２１の左右両側部には、ケース本体２１の上部２１ａから下部２１ｂに亘り略Ｌ字状を成す断熱構造の側壁５，５が取付けられている。また、側壁５，５には、それぞれ内ケース２３の内方の空間に形成される保冷室２の左右両側方の開放部分を塞ぐように透光性を有するパネル体５０，５０（側板）が取付けられている（図１参照）。尚、パネル体５０，５０は、複層構造を成すことにより断熱性を高めたガラス板やアクリル板等から構成されている。
【００２０】
また、ケース本体２１の上部２１ａの前端には、保冷室２内を照らすための照明器具等を取付けるためのキャノピ６が設けられている。キャノピ６は、ケース本体２１の左右両側部に取付けられる側壁５，５の間に設けられ、側壁５，５の上部前端５ａとキャノピ６の前面側の側面視形状が揃えられることにより美観が高められている。
【００２１】
また、ケース本体２１の下部２１ｂの前端には、ケース本体２１の下部２１ｂの前端部上縁における後述する吸込口７５の前方に左右方向に亘って延びる板状部材４が略垂直に立設されている。板状部材４は、ケース本体２１の左右両側部に取付けられる側壁５，５の下部上端５ｂ，５ｂと上端の高さが揃えられることにより美観が高められている。尚、板状部材４は、透光性を有するガラス板やアクリル板等の素材から構成されている。また、板状部材４の上端部には、左右方向に亘って断面視下向きコ字状の金属製のカバー部材４０が取付けられることにより構造強度が高められている。
【００２２】
図２に示されるように、保冷室２を構成する内ケース２３の背板２３ａには、前後方向に延びるブラケット２４Ａ，２４Ｂ，２４Ｃの後端が取付けられ、該ブラケット２４Ａ，２４Ｂ，２４Ｃには上方から棚板２５Ａ，２５Ｂ，２５Ｃ（陳列棚）が取付けられている。これにより、保冷室２において、棚板２５Ａ，２５Ｂ，２５Ｃ及び内ケース２３の底部２３ｂに設けられる底板２６の上面にそれぞれ商品が陳列可能になっている。尚、ブラケット２４Ａ，２４Ｂ，２４Ｃ及び棚板２５Ａ，２５Ｂ，２５Ｃは、下段になるにつれて前後方向の寸法が長く構成されている。
【００２３】
また、棚板２５Ａ，２５Ｂ，２５Ｃの前端には、左右方向に延びるレール部材２７，２７，２７が設けられており、レール部材２７，２７，２７には、例えば商品名、値段等の商品情報が記載されたプライスカードや客に対する商品の訴求力を高めるために販売促進用のＰＯＰ等を任意の位置に取付け可能となっている。さらに、棚板２５Ａ，２５Ｂ，２５Ｃの前端と上述したレール部材２７，２７，２７との間には、左右方向に延びる板状の落下防止部材２８，２８，２８が立設されており、棚板２５Ａ，２５Ｂ，２５Ｃの前端からの商品の落下を防いでいる。
【００２４】
尚、以下、本実施例における２５Ａ，２５Ｂ，２５Ｃ（陳列棚）の前端とは、レール部材２７，２７，２７及び落下防止部材２８，２８，２８を含めた構造を示すものとする。
【００２５】
図２に示されるように、ケース本体２１には、外ケース２２と内ケース２３との間に略コ字形を成す冷気循環通路７が形成されている。冷気循環通路７は、ケース本体２１の下部２１ｂの内部で前後方向に延びる下部側通路７１と、該下部側通路７１と連通しケース本体２１の背面側の内部で上下方向に延びる背面側通路７２と、該背面側通路７２と連通しケース本体２１の上部２１ａの内部で前後方向に延びる上部側通路７３と、該上部側通路７３と連通しケース本体２１の上部２１ａの前端下縁から前方斜め下方に延びて開口する吹出口７４と、ケース本体２１の下部２１ｂの前端上縁で上方に開口し下部側通路７１と連通する吸込口７５と、から構成されている。尚、冷気循環通路７において、下部側通路７１、背面側通路７２、上部側通路７３、吹出口７４及び吸込口７５の左右方向の寸法は略同一となるように形成されている。
【００２６】
図２に示されるように、下部側通路７１は、ケース本体２１の下部２１ｂを構成する内ケース２３の底部２３ｂと、外ケース２２の底部２２ｂとの上下間に形成され、前後方向に延びてケース本体２１の背面側で背面側通路７２と連通している。また、下部側通路７１内には、冷媒を利用した冷凍サイクルにより熱交換を行いその周囲の空気を冷却する蒸発器４１と、下部側通路７１内の空気（冷気）を送り出す送風機４２が配設されている。
【００２７】
尚、オープンショーケース１においては、冷気循環通路７の上流側を構成する下部側通路７１内に配設される送風機４２を作動させることにより、蒸発器４１によって冷却された冷気が下流側の背面側通路７２及び上部側通路７３を通って上方の吹出口７４から吹き出されるとともに、保冷室２内の冷気が吸込口７５から下部側通路７１内に吸い込まれるようになっている。
【００２８】
これによれば、保冷室２の前面側の開放部分に冷気の気流によってエアカーテンが形成されるとともに、その冷気の一部が保冷室２内に流入することにより、保冷室２内が冷却された状態を維持できるようになっている。また、吸込口７５から吸い込まれた冷気は、下部側通路７１内に流入して、送風機４２により再び蒸発器４１に送られることにより、冷気循環通路７を冷気が効率的に循環するようになっている。
【００２９】
図２に示されるように、背面側通路７２は、ケース本体２１の背面側を構成する内ケース２３の背板２３ａと、外ケース２２の背板２２ａとの前後間に形成され、上下方向に延びてケース本体２１の下部２１ｂで下部側通路７１と、ケース本体２１の上部２１ａで上部側通路７３と連通している。また、背面側通路７２内には、上下略中央の位置に上流側整風部材７６が配設されている。
【００３０】
図４（ａ）に示されるように、上流側整風部材７６は、金属製の板材を折曲加工することにより断面視クランク形状に成形され、両端の折り曲げ部分に形成される取付部７６ａ，７６ａと、該取付部７６ａ，７６ａの間に形成される整風部７６ｂと、を備え、整風部７６ｂには、複数の通風孔７６ｃ，７６ｃ，…（図４（ｂ）参照）が設けられている。尚、図４（ｂ）に示されるように、整風部７６ｂの前方側（図４紙面上側）には、背面側通路７２を構成する内ケース２３の背板２３ａ及び背面側通路７２内に設けられる図示しない電気配線等各種部材の形状に合わせて切欠部分が形成されている。
【００３１】
図２に示されるように、上流側整風部材７６は、取付部７６ａ，７６ａの一方を内ケース２３の背板２３ａもしくは外ケース２２の背板２２ａに固定した状態で外ケース２２と内ケース２３を組み合わせることにより、背面側通路７２の前後方向に亘って略水平の状態で配置できるようになっている。このとき、整風部７６ｂは、背面側通路７２における冷気の流れに対して略直交した状態で配置されることにより、冷気の流れに対する抵抗として機能するとともに、通風孔７６ｃ，７６ｃ，…を介して冷気を下流側に通過させることができるため、整風部７６ｂを通過させた冷気は背面側通路７２の上方側（上流側整風部材７６の下流側）において前後方向及び左右方向に亘って略均一に広がりやすくなっている。
【００３２】
図２に示されるように、上部側通路７３は、ケース本体２１の上部２１ａを構成する内ケース２３の天板２３ｃと、外ケース２２の天板２２ｃとの上下間に形成され、略水平方向（前後方向）に延びて背面側で背面側通路７２と、前方側で吹出口７４と連通している。また、上部側通路７３内には、前方側（吹出口７４側）の位置に下流側整風部材７７が配設されている。
【００３３】
図５（ａ）に示されるように、下流側整風部材７７は、金属製の板材を折曲加工することにより断面視クランク形状に成形され、両端の折り曲げ部分に形成される取付部７７ａ，７７ａと、取付部７７ａ，７７ａの間に形成される整風部７７ｂと、を備え、整風部７７ｂには、複数の通風孔７７ｃ，７７ｃ，…（図５（ｂ）参照）が設けられている。
【００３４】
図２に示されるように、下流側整風部材７７は、取付部７７ａ，７７ａの一方を内ケース２３の天板２３ｃもしくは外ケース２２の天板２２ｃに固定した状態で外ケース２２と内ケース２３を組み合わせることにより、上部側通路７３の上下方向に亘って略垂直の状態で配置できるようになっている。このとき、整風部７７ｂは、上部側通路７３における冷気の流れ（図２参照）に対して略直交した状態で配置されることにより、冷気の流れに対する抵抗として機能するとともに通風孔７７ｃ，７７ｃ，…を介して冷気を下流側に通過させることができるため、整風部７７ｂを通過させた冷気は上部側通路７３の前面側（下流側整風部材７７の下流側）において上下方向及び左右方向に亘って略均一に広がりやすくなっている。
【００３５】
図２及び図３の拡大部に示されるように、吹出口７４は、ケース本体２１の上部２１ａの前端下縁において、内ケース２３の天板２３ｃの前端から左右方向に亘って前方斜め下方に延びる内板２３ｄと、外ケース２２の天板２２ｃの前端から左右方向に亘って前方斜め下方に内板２３ｄと略平行に延びる外板２２ｄとの前後間に形成され、前方斜め下方に開口している。尚、吹出口７４を構成する内板２３ｄと外板２２ｄとの間には、例えば整風のためのハニカム構造体等が設けられていないため、前面側から見たときの吹出口７４の美観が高められている。
【００３６】
また、吹出口７４は、保冷室２内における最上段の棚板２５Ａの前後方向の長さ寸法以下、かつ前後方向の長さ寸法の半分以上の位置に形成されている。
【００３７】
図３の延長線Ｅ１に示されるように、内板２３ｄは、前端が棚板２５Ａ，２５Ｂ，２５Ｃ（レール部材２７，２７，２７及び落下防止部材２８，２８，２８）の前端よりも前方側を向くように構成されている。また、内板２３ｄの前端部は、保冷室２側（背面側）に向けて折り曲げられることにより、吹出口７４の背面側（内板２３ｄ側）において吹き出される冷気の巻き込みが起こり難くなっている。
【００３８】
図３の延長線Ｅ２に示されるように、外板２２ｄは、前端がケース本体２１の下部２１ｂの前端（吸込口７５の前方）に立設される板状部材４の上端よりも下方側を向くように構成されている。
【００３９】
また、吹出口７４は、ケース本体２１の上部２１ａの前端に設けられるキャノピ６の前端よりも背面側に奥まった位置に形成されている。これによれば、吹出口７４の前方側にキャノピ６が配置されることにより、吹出口７４の前方側（外板２２ｄ側）において吹き出される冷気の巻き込みが起こり難くなっている。さらに、前面側から見たときにキャノピ６によって吹出口７４が見え難くなり、吹出口７４近傍の美観が高められている。
【００４０】
図２に示されるように、吸込口７５は、ケース本体２１の下部２１ｂの前端上縁において、板状部材４の背面側（保冷室２側）かつ下方側で左右方向に亘って上方に開口し下部側通路７１と連通している。尚、吸込口７５には、複数のスリットや孔が設けられる吸込口カバー７８が取付けられている。
【００４１】
以上説明したように、本発明のオープンショーケース１は、吸込口７５の前方側で左右方向に亘って板状部材４が立設され、吹出口７４の吹出方向が棚板２５Ａ，２５Ｂ，２５Ｃの前端よりも前方、かつ板状部材４に向かっているため、吹出口７４から吹き出された冷気は、棚板２５Ａ，２５Ｂ，２５Ｃに当たることが少なくなり、吹出方向に向けて流速が略維持された状態で吸込口７５の前方側で左右方向に亘って立設する板状部材４によって受け止められ、保冷室２の前面側の開放部分から外部への漏れ出しを防ぎながら下方の吸込口７５に冷気を案内することができる。これによれば、保冷室２の前面側にエアカーテンを安定して形成することができるとともに、吸込口７５における冷気の吸い込み量を確保することができるため、オープンショーケース１の冷却効率を高めることができる。
【００４２】
また、吹出口７４を構成する内板２３ｄの前端が棚板２５Ａ，２５Ｂ，２５Ｃ（レール部材２７，２７，２７及び落下防止部材２８，２８，２８）の前端よりも前方側を向くように構成され、外板２２ｄの前端が板状部材４の上端よりも下方側を向くように構成されているため、吹出口７４において内板２３ｄと外板２２ｄの間から冷気が吹き出されることにより、冷気が内板２３ｄによって棚板２５Ａ，２５Ｂ，２５Ｃに当たらないように棚板２５Ａ，２５Ｂ，２５Ｃの前端の前方に案内され、かつ外板２２ｄによって保冷室２の前面側の開放部分から外部へ冷気が漏れ出さないように板状部材４の上端よりも下方側に案内されるため、保冷室２の前面側にエアカーテンを安定して形成することができる。
【００４３】
また、保冷室２において棚板２５Ａ，２５Ｂ，２５Ｃの上面側で対流し棚板２５Ａ，２５Ｂ，２５Ｃの前端からそれぞれ下方に向かう冷気や、吹出口７４からの距離によって減速して保冷室２の下方側で拡散する冷気についても、吸込口７５の前方側で板状部材４によって受け止められるため、保冷室２の前面側の開放部分から外部への漏れ出しを防ぎながら下方の吸込口７５に案内することができる。
【００４４】
また、図３に示されるように、冷気循環通路７において吹出口７４を構成する外板２２ｄと内板２３ｄとの前後間の通路幅Ｌ１（図３の拡大部参照）は、上部側通路７３を構成する外ケース２２の天板２２ｃと内ケース２３の天板２３ｃとの上下間の通路幅Ｌ２（図３の拡大部参照）よりも小さい、言い換えれば、吹出口７４は、直前の上部側通路７３よりも断面積が小さくなっている。これによれば、冷気が上部側通路７３よりも通路幅の小さい吹出口７４に流入して吹き出されることにより、吹出口７４から吹き出される冷気の流速を上げることができるため、吹き出された冷気の大部分は棚板２５Ａ，２５Ｂ，２５Ｃに当たることなく吸込口７５に吸い込まれ、保冷室２の前面側にエアカーテンをより安定して形成することができる。
【００４５】
また、冷気循環通路７において上部側通路７３を構成する外ケース２２の天板２２ｃと内ケース２３の天板２３ｃとの上下間の通路幅Ｌ２は、背面側通路７２を構成する内ケース２３の背板２３ａと外ケース２２の背板２２ａとの前後間の通路幅Ｌ３よりも小さい、言い換えれば、上部側通路７３は、背面側通路７２よりも断面積が小さくなっている。これによれば、冷気が背面側通路７２よりも通路幅の小さい上部側通路７３を流入することにより、上部側通路７３に設けられる下流側整風部材７７の整風部７７ｂを通過する冷気の流速を上げて通過時の抵抗を大きくすることができる。さらに、冷気循環通路７は、吹出口７４に向かうにつれて通路幅が小さくなる構成（Ｌ１＜Ｌ２＜Ｌ３）であるため、冷気循環通路７を通過する冷気の流速を緩やかに上げることができる。
【００４６】
また、図４（ｂ）に示されるように、上流側整風部材７６の整風部７６ｂに設けられる通風孔７６ｃ，７６ｃ，…は、丸孔の形状を成しているため、上部側通路７３よりも通路幅が大きい背面側通路７２において上流側整風部材７６の整風部７６ｂを通過させた冷気は、背面側通路７２の上方側（上流側整風部材７６の下流側）において前後方向及び左右方向に亘って略均一に広がりやすくなっている。
【００４７】
さらに、図５（ｂ）に示されるように、下流側整風部材７７の整風部７７ｂに設けられる通風孔７７ｃ，７７ｃ，…は、左右方向に長尺な長孔の形状を成しているため、背面側通路７２よりも通路幅が小さい上部側通路７３において下流側整風部材７７の整風部７７ｂを通過させた冷気は、上部側通路７３の前面側（下流側整風部材７７の下流側）において特に左右方向に亘って略均一に広がりやすくなっている。これによれば、下流側整風部材７７を通過させて冷気を上部側通路７３における吹出口７４の直前で略均一に広げることにより、冷気を吹出口７４に亘って略均一に吹き出させることができるため、保冷室２の前面側にエアカーテンを左右方向に亘って略均一に形成することができる。
【００４８】
また、図２に示されるように、保冷室２の左右両側方を塞ぐように設けられるパネル体５０，５０の前縁は、吹出口７４よりも上方側から板状部材４の上端まで延びるように構成されている。これによれば、吹出口７４から吹き出された冷気（エアカーテン）を前方の板状部材４と左右両側方のパネル体５０，５０により規定される保冷室２内の空間に収めることができるため、保冷室２の前方側及び左右両側方から外部への冷気の漏れ出しを抑えることができ、オープンショーケース１の冷却効率を高めることができる。
【００４９】
また、保冷室２内における最下段の棚板２５Ｃの高さ位置が板状部材４の上端の高さ位置と略同一となっている。これによれば、保冷室２内における最下段の棚板２５Ｃと内ケース２３の底部２３ｂに設けられる底板２６との上下間に対流させることができるとともに、保冷室２の前方側から外部への冷気の漏れ出しを板状部材４により抑えることができるため、吸込口７５における冷気の吸い込み量を確保することができる。
【００５０】
また、図３に示されるように、吸込口７５の前後寸法Ｌ４は、吹出口７４を構成する外板２２ｄと内板２３ｄとの前後間の通路幅Ｌ１よりも大きく構成されているため、冷気循環通路７内において下流側整風部材７７及び上流側整風部材７６を通過する際、背面側通路７２から上部側通路７３もしくは上部側通路７３から吹出口７４に流入する際に冷気の流れに抵抗が生じても、吸込口７５における冷気の吸い込み量と吹出口７４における冷気の吹き出し量のバランスを維持できるようになっている。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、前記実施例では、冷気循環通路７において、上部側通路７３は、背面側通路７２よりも通路幅が小さくなっている態様について説明したが、これに限らず、冷気循環通路は、少なくとも吹出口の通路幅が上部側通路の通路幅よりも小さく構成されるものであれば、例えば背面側通路の通路幅と上部側通路の通路幅は略同一に構成されていてもよい。また、背面側通路の通路幅が上部側通路の通路幅よりも小さく構成されていてもよい。
【００５３】
また、前記実施例では、板状部材４の上端が側壁５，５の下部上端５ｂ，５ｂと同じ高さ位置に構成される態様について説明したが、これに限らず、板状部材は、吹出口７４から吹き出された冷気を受け止め、保冷室２の前方側から外部への冷気の漏れ出しを抑えることができるものであれば、高さ寸法は自由に構成されてよい。
【００５４】
また、吹出口７４を構成する内板２３ｄ及び外板２２ｄは、内ケース２３の天板２３ｃ及び外ケース２２の天板２２ｃの前端にそれぞれ一体に成形されるものであってもよいし、別体の内板と外板が内ケース２３の天板２３ｃ及び外ケース２２の天板２２ｃの前端にそれぞれ取付けられるものであってもよい。さらに、内板と外板が一体成形されていてもよい。
【００５５】
また、パネル体５０，５０は、透光性を有していなくてもよく、断熱構造を備える金属板材であってもよい。さらに、パネル体５０，５０を備えず、側壁５，５の前端が吹出口７４よりも上方側から板状部材４の上端まで延びていてもよい。
【００５６】
また、下流側整風部材７７の整風部７７ｂに設けられる通風孔７７ｃ，７７ｃ，…及び上流側整風部材７６の整風部７６ｂに設けられる通風孔７６ｃ，７６ｃ，…の形状は、通過する冷気を下流側で略均一に広げることができる形状であれば自由に構成されてよい。
【００５７】
また、内ケース２３の背板２３ａに貫通孔を設けることにより、背面側通路７２内の冷気の一部を保冷室２に導入させてもよい。
【００５８】
また、オープンショーケースは、保冷室２の前面側に加えて左右側面側に開放部分を有するものであってもよい。
【符号の説明】
【００５９】
１                オープンショーケース
２                保冷室
３                基台
４                板状部材
５                側壁
６                キャノピ
７                冷気循環通路
２１              ケース本体
２２              外ケース
２２ｄ            外板
２３              内ケース
２３ｄ            内板
２５Ａ〜２５Ｃ    棚板（陳列棚）
４１              蒸発器
４２              送風機
５０              パネル体（側板）
７１              下部側通路
７２              背面側通路
７３              上部側通路
７４              吹出口
７５              吸込口
７６              上流側整風部材
７７              下流側整風部材
Ｅ１，Ｅ２        仮想延長線
Ｌ１〜Ｌ３        通路幅
【図１】
2018117979.tif 000003
【図２】
2018117979.tif 000004
【図３】
2018117979.tif 000005
【図４】
2018117979.tif 000006
【図５】
2018117979.tif 000007